(57)【特許請求の範囲】
【請求項１】
筐体（１０）を有し；その上に配置され且つ手動で動かせるピストン（１１１）を有し、少なくとも断続的に充填できる円筒／ピストンユニット（１００）を有し；及びこの円筒／ピストンユニット（１００）の上流に搭載された取り外し可能な容器アダプター（２００）を有する使い捨て注射器であって、ここで容器アダプター（２００）が、活性物質で少なくとも断続的に充填できて、且つ開閉式ストッパー（２５７）によって閉じられる容器（２５０）を支え：
−円筒／ピストンユニットのピストン（１１１）が、ポンプ棒（１４０）を介して別々に直接に動くことができる；
−容器アダプター（２００）が、円筒／ピストンユニット（１００）の円筒（１０１）の周りで少なくとも部分的に前方で係合する；
−容器アダプター（２００）が、円筒（１０１）の自由端面（１０３）の上を少なくとも部分的に圧迫し、且つ少なくとも一つの貫通溝（２４１）を有する二重アダプター（２４０）に対して凹部（２１２）を有する中間床（２１１）を有する；
−容器（２５０）が、容器アダプター（２００）の後方において縦方向に移動できるように座し、且つ送達状態において、そのストッパー（２５７）で二重アダプター（２４０）をしっかりと圧迫する；
−容器アダプター（２００）が、各々の移動位置を固定する二つの接合点（２２３）及び（２２６）の間で容器（２５０）を支える；そして
−容器（２５０）が、それを中間床（２１１）に向けて移動させることによって、且つストッパー（２５７）を容器（２５０）内に押すことによって開けられる；
ことを特徴とする使い捨て注射器。
【請求項２】
接合点（２２６）が、一方向にそれらを通過させることを可能ならしめるために、横方向側に折り畳むことができることを特徴とする、請求項１に記載の使い捨て注射器。
【請求項３】
円筒（１０１）の円筒内部（１１０）が二重アダプター（２４０）の貫通溝（２４１）と通じていることを特徴とする、請求項１に記載の使い捨て注射器。
【請求項４】
二重アダプター（２４０）が、液体（１）及び（３）の移送ポンピング中、無菌状態で、且つそれらが環境から遮断されるように、円筒（１０１）及び容器（２５０）を接続する弾性体であることを特徴とする、請求項１に記載の使い捨て注射器。
【請求項５】
容器アダプター（２００）が、床（１０８）の領域において、互いに反対向きに位置する二つの窓（１２６）を有するか、又は透明材料で作られていることを特徴とする、請求項１に記載の使い捨て注射器。
【請求項６】
ポンプ棒（１４０）が、容器アダプター（２００）から使い捨て注射器を通して遠方の端部に伸びており、且つ組み立てられた状態において、筺体（１０）の後方端から突き出ることを特徴とする、請求項１に記載の使い捨て注射器。
【請求項７】
ポンプ棒（１４０）が取りはずせるように、ピストン（１１１）に又はピストン（１１１）のピストン棒にカップリングできることを特徴とする、請求項１に記載の使い捨て注射器。
【請求項８】
ピストン（１１１）に又はピストン棒にカップリングされたポンプ棒（１４０）が、ピストン（１１１）又はピストン棒の後で平滑面を有し、且つ注射器の内部で、それがそこを通過する全ての構造部品上で遊びを持って誘導されることを特徴とする、請求項１に記載の使い捨て注射器。
【請求項９】
容器アダプター（２００）が、筺体（１０）の上に、又は引き剥がしバンデロール（２６０）を介して筺体（１０）上に搭載されたトリガーエレメント（８２）の上に一時的に固定されることを特徴とする、請求項１に記載の使い捨て注射器。
【請求項１０】
請求項１に記載の使い捨て注射器を利用して溶媒（１）及び活性物質（２）から溶液（３）を製造する方法であって：
−溶液（３）が製造されるに先立って、溶媒（１）が円筒／ピストンユニット（１００）の注射器側中に貯蔵され、一方、活性物質（２）が、円筒／ピストンユニット（１００）の上流に搭載され、且つストッパー（２５７）によって閉じられている容器（２５０）中に含まれ；
−孔がそれを通して伸びている二重アダプター（２４０）が、円筒／ピストンユニット（１００）及びストッパー（２５７）の間に配置され；
−円筒（１０１）の円筒内部（１１０）及び容器（２５０）の内部（２５５）の間の接続を確立するために、容器（２５０）が二重アダプター（２４０）に向かって移動させられ、且つストッパー（２５７）を強制的に押し出し；
−溶媒（１）が、ピストン（１１１）の直接押しこみによって容器（２５０）の内部（２５５）内に流れ、且つ活性物質（２）がそこで溶媒（１）中に溶解して溶液（３）を形成し；及び
−溶液（３）が、ピストン（１１１）の直接引き戻しによって円筒／ピストンユニット（１００）内にポンプで送り込まれる；
ことを特徴とする方法。
【請求項１１】
溶液（３）が懸濁液又はエマルションであることを特徴とする、請求項１０に記載の方法。
【発明の詳細な説明】
【技術分野】
【０００１】
本発明は、筐体を有し；その上に配置され且つ手動で動かせるピストンを有し、少なくとも断続的に充填できる円筒／ピストンユニットを有し；及びこの円筒／ピストンユニットの上流に搭載された取り外し可能な容器アダプターを有する使い捨て注射器に関し、ここで容器アダプターが、活性物質で少なくとも断続的に充填できて、且つ開閉式ストッパーによって閉じられる容器を支える。
【背景技術】
【０００２】
特許文献１は、とりわけ、この種の注射器を開示している。凍結乾燥物で部分的に充填された容器、及び本明細書では前方で蓋を用いて、そして後方ではピストンを用いて閉じられたカートリッジである円筒／ピストンユニットの間に、双子の端部がある注射針を有する針キャリアーが容器アダプター中に座する。容器を容器アダプター内に向かって押すことにより、針の前端が容器のシールを突き通す。容器アダプターを注射器内にねじ込むことにより、針の後方端がカートリッジの蓋を突き通す。同時に針キャリアーがカートリッジに永久的に適応される。カートリッジ中の液が容器内にポンプ注入され、そこで凍結乾燥物が溶解する。次いで、溶液がカートリッジ内にポンプで引き戻される。容器アダプターを取り除いた後、この注射の準備をするために、注射器のばねに手動で張力がかけられる。
【先行技術文献】
【特許文献】
【０００３】
【特許文献１】ＷＯ  ００／２３１３３号公報
【発明の概要】
【発明が解決しようとする課題】
【０００４】
本発明は、各々の場合別々に、且つ無菌状態で、液体及び活性物質を貯蔵し、且つその中で活性物質がその適用のために液体中で溶解され、又は液体と混合される空間を供するモジュラー型使い捨て注射器の開発の課題に取り組む。注射器及び容器アダプターは単純な構造構成を有し、そして取り扱いやすいことを意図している。
【課題を解決するための手段】
【０００５】
この課題は請求項１及び１０の特徴によって解決される。
【０００６】
請求項１によれば、円筒／ピストンユニットのピストンが、ポンプ棒を介して別々に直接に動くことができる。容器アダプターが、円筒／ピストンユニットの円筒の周りで少なくとも部分的に前方で係合する。容器アダプターが、円筒の自由端面の上を少なくとも部分的に圧迫し、且つ少なくとも一つの貫通溝を有する二重アダプターに対して凹部を有する中間床を有する。容器が、容器アダプターの後方において縦方向に移動できるように座し、且つ送達状態において、そのストッパーで二重アダプターをしっかりと圧迫する。容器アダプターが、各々の移動位置を固定する二つの接合点の間で容器を支える。そして、容器が、それを中間床に向けて移動させることによって、且つストッパーを容器内に押すことによって開けられる。
【０００７】
請求項１０には、請求項１に記載の使い捨て注射器を利用して溶媒及び活性物質から溶液を製造する方法が記載されている。溶液が製造されるに先立って、溶媒が円筒／ピストンユニットの注射器側中に貯蔵され、一方、活性物質が、円筒／ピストンユニットの上流に搭載され、且つストッパーによって閉じられている容器中に含まれ、孔がそれを通して伸びている二重アダプターが、円筒／ピストンユニット及びストッパーの間に配置される。円筒の円筒内部及び容器の内部の間の接続を確立するために、容器が二重アダプターに向かって移動させられ、且つストッパーを強制的に押し出す。溶媒が、ピストンの押しこみによって容器の内部内に流れ、且つ活性物質がそこで溶媒中に溶解して溶液を形成する。溶液が、ピストンの引き戻しによって円筒／ピストンユニット内にポンプで送り込まれる。
【０００８】
本発明は、例えば、ばねエネルギー貯留部に張力がかけられたときに、そのピストンの手動ポンプ運動によって、その円筒／ピストンユニットが空にできる又は充填できる無針使い捨て注射器を提供する。この目的のために、ピストンがポンプ棒を用いて動かすことができるように、例えば、ポンプ棒が外側から、注射器中に配置された円筒／ピストンユニットのピストン内にカップリングされる。適切な場合、注射器が使用される前に、ポンプ棒がカップリングを外され、そして筺体から引き出される。
【０００９】
容器は円筒／ピストンユニットの上流に搭載され、そして注射器上に固定された容器アダプター中に移動できるように誘導される。溶媒、例えば輸液目的の水は、無菌状態で円筒／ピストンユニット中に貯蔵される。上流の容器は、同様に無菌状態で詰められた凍結乾燥された薬剤を保持する。使い捨て注射器の使用直前に、水が容器内の薬剤に運ばれ、そこで溶液、懸濁液又はエマルションを形成する。この液体は、次いで注射され得るように、注射器側の円筒／ピストンユニット内にポンプで引き戻される。移送ポンピング中、塊は、第一円筒／ピストンユニットの円筒空間内に全く入り込まないため、精密な注射流が保証される。
【００１０】
容器は、注射器側の円筒／ピストンユニットの水力学的に上流に搭載される。具体例によれば、それは空間的に円筒／ピストンユニットの前に座する。しかしながら、容器は注射器の側の上にも配置できる。この場合、それは円筒／ピストンユニットと並んで平行に座すであろう。
【００１１】
本発明の更なる詳細が、従属の請求項において且つ模式的な具体例の以下の記述において説明されている。
【図面の簡単な説明】
【００１２】
【図１】溶媒で充填された円筒／ピストンユニット、及び活性物質で部分的に充填された付属容器を有する使い捨て注射器を示す。
【図２】図１と同じであるが、活性物質で部分的に充填された容器内にポンプ注入された溶媒を有する使い捨て注射器を示す。
【図３】図１と同じであるが、容器から円筒／ピストンユニットの円筒内に吸い戻された溶媒を有する使い捨て注射器を示す。
【図４】容器の除去、始動及び作動後の（仮定の状態）使い捨て注射器を示す。
【図５】図４と同じであるが、溶媒が吐き出された後の使い捨て注射器を示す。
【図６】溶媒で充填された円筒／ピストンユニット、及び活性物質で部分的に充填された付属容器を有する使い捨て注射器を示す。
【図７】図６に記載の使い捨て注射器の容器アダプターを示す。
【図７ａ】容器ストッパーのレベルでの図７の断面を示す。
【図８】図７と同じであるが、円筒が空にされ、そして容器が充填された使い捨て注射器の容器アダプターを示す。
【図９】図８と同じであるが、容器の内容物が、円筒／ピストンユニットの円筒内にポンプで引き戻された使い捨て注射器の容器アダプターを示す。
【図１０】容器アダプターの除去、始動及び作動後の（仮定の状態）使い捨て注射器を示す。
【図１１】図１０と同じであるが、溶媒が吐き出された後の使い捨て注射器を示す。
【図１２】図８からの拡大された詳細を示す。
【図１３】図８からの代りの拡大された詳細を示す。
【図１４】ポンプ棒を有する筺体の部分斜視図を示す。
【図１５】固定されたキャップ及び部分的に切り取られたバンデロールを有する容器アダプターの外部図を示す。
【図１６】図１５の断面を示す
【図１７】図１５と同じであるが、容器が押し込められた容器アダプターの外部図を示す。
【図１８】図１７の断面を示す。
【発明を実施するための形態】
【００１３】
図１から５は、永久的に投入されたばねエネルギーの貯留部、円筒／ピストンユニットの充填された円筒、及び付属の活性物質容器を有する使い捨て注射器タイプの、種々のポンピング及びトリガー状態における簡略化された模式図を示す。示された使い捨て注射器は、筺体（１０）、注射溶液で事前に充填された円筒／ピストンユニット（１００）、例えば、ピストン作動ラム（６０）、及びばねエネルギー貯留部としての圧縮コイルばね（５０）を含む。トリガーエレメント（８２）及び安全エレメント（９０）も、筺体（１０）の上に配置されている。円筒／ピストンユニット（１００）は、二重アダプター（２４０）との併用で容器アダプター（２００）によって前方でシールされる。円筒／ピストンユニット（１００）は、別のポンプ棒（１４０）を用いて円筒（１０１）中を動くことのできるピストン（１１１）を有する。
【００１４】
容器（２５０）は容器アダプター（２００）中に縦方向に移動できるように座す。
【００１５】
筺体（１０）は、底部で開いており、且つ頂部で床（３９）を有するポット形状の中空体である。図４を参照すると、ジャケット領域（３１）である中間領域において、筺体（１０）は、例えば、互いに反対側に横たわっている二つの窓状の開口部（３３）を有する。圧力棒（２１）は、個別開口部（３３）各々の下方端上に関節連結状態で搭載されている。床（３９）は中心孔（３８）を有する。
【００１６】
本明細書では、例としてのみ圧力棒（２１）が、ピボットヒンンジにおいて配置され、そしてスプリングエレメント（５２）を介して筺体（１０）上に支持されている。図１から５を参照すると、トリガーエレメント（８２）に抗して外側に少なくともほぼ半径方向に、スプリングエレメント（５２）が支持棒（２１）を押す。そこで、それらがカム（２２）を介してトリガーエレメント（８２）上に置かれている。カム（２２）も、例えば、圧力棒（２１）の各自由上方端の５から２０ミリメーター下に位置する。もし圧力棒（２１）が筺体（１０）上に一体的に形成されるならば、とりわけ図６を参照すれば、それらは弾性のある屈曲梁（２８）として外側に跳ねる。
【００１７】
図１を参照すれば、圧力をかけられた二つの圧力棒（２１）は、そのラム板（７３）で事前に張力をかけられたその位置においてピストン作動ラム（６０）を保持する。この目的のために、圧力棒（２１）は、ラム板（７３）上にそれらの支持面（２３）と共に置かれている。支持面（２３）及びラム板（７３）上の対応する部位の間の各接触面のサイズは２から２０平方ミリメーターの範囲にある。
【００１８】
中心線（５）から離れた方向の側で、各圧力棒（２１）はそのカム（２２）上に接触面（２４）を有する。
【００１９】
筺体（１０）の下方領域において、円筒／ピストンユニット（１００）を固定するための保持エレメントがある。
【００２０】
具体例において、円筒／ピストンユニット（１００）は、溶媒（１）例えば輸液目的の水で満たされ、且つその中でピストン（１１１）が後方位置に座する透明な円筒（１０１）を含む。円筒（１０１）は、例えば、後方に向かって管状の溝中において終わる円筒内壁（１０９）を有する。半径方向にピストン（１１１）上にしっかりと圧迫するシーリングエレメント（１０５）が管状の溝中に座する。充填された円筒内部（１１０）は、無菌状態でピストン（１１１）及びシーリングエレメント（１０５）によって閉鎖される。管状の溝の後方に、後方に動かされたピストン（１１１）が広げられた領域の壁に触れない程度に、円筒（１０１）が広くなる。
【００２１】
その後方面上でピストン（１１１）は、例えば、その中にポンプ棒（１４０）がテーパー付きねじ山（１４１）を用いてねじ込まれる、中心の切頭円錐形凹部（１１５）を有する。ポンプ棒（１４０）は、最小の力でピストン（１１１）から解放できる。
【００２２】
ピストン（１１１）の上方に、例えば、ピストンに触れないが、例えば、円筒（１０１）の上方領域においてその下方端を有して横方向にそれが誘導されるように、筺体（１０）中にピストン作動ラム（６０）が配置される。ピストン作動ラム（６０）は、例えば、それを通してポンプ棒（１４０）が著しい遊びを持って伸びる中心孔（６３）を有する。
【００２３】
図１によれば、筺体（１０）の下半分は、スリーブ状のトリガーエレメント（８２）によって囲まれている。トリガーエレメント（８２）は、筺体（１０）の半径方向の外面（１３）上に、縦方向に移動できるように搭載されている。それは、鋭角端（８５）を有する後方で終わる。図５を参照すれば、端（８５）の下に、図１から３に記載のカム（２２）の外側接触面（２４）が、トリガーエレメント（８２）の内壁（５９）と固定手段で接触する。
【００２４】
トリガーキャップ（８１）は、トリガーエレメント（８２）上に、例えば、端（８５）の近くに固定され、そして筺体（１０）の後方端を完全に囲む。それは、ポンプ棒（１４０）を通すために、そこに中心孔（８７）を有する。トリガーキャップ（８１）は、注射器が起動されたときに、その中にカム（２２）が受け入れられる周辺拡幅領域（８３）を含む。非回転対称のトリガーエレメント（８２）の場合、この拡幅領域（８３）も圧力棒（２１）又は覆われていない開口部毎に部分的に広くなった領域によって置き換えること
ができる。
【００２５】
筺体（１０）に関しては、トリガー手順中に後退するにつれて、外側に強制的に向けられる圧力棒（２１）のカム（２２）を受けることができるように、拡幅領域（８３）が正確に位置合わしされ、且つ寸法取りされている。拡幅領域（８３）の内部輪郭は、例えば、本明細書で注射器の中心線（５）に直角な面を表す戻り側面（８４）を有する導管である。
【００２６】
筺体（１０）中に配置されたピストン作動ラム（６０）は、二つの領域に分けられる。下方の領域は、ピストンスライド（７６）である。その直径は円筒（１０１）の後方領域の内径よりも幾分小さい。ピストンスライド（７６）の下方端面はピストン（１１１）に直接作用する。
【００２７】
ピストン作動ラム（６０）の上方領域、つまりラム板（７３）は、少なくとも幾つかの領域において円筒状である、且つその外径がジャケット領域（３１）における筺体（１０）の内径よりも二、三十分の１ミリメーターだけ小さい平らなディスクである。下方端面は、ピストンスライド（７６）の周りに配置された鍔面（７５）を有する。それは、その頂角が約１００から１３０度、好ましくは１２０度である切頭円錐形のジャケットの形を有する。切頭円錐形のジャケットの想定上の先端はピストンスライド（７６）の領域中の中心線（５）の上に位置する。鍔面（７５）も球状に曲がったものにできる。
【００２８】
ピストンスライド（７６）も勿論ラム板（７３）から分離された部品として設計できる。この目的のために、次いでそれは筺体（１０）の内壁上に誘導される。
【００２９】
圧縮コイルばね（５０）は、筺体（１０）のラム板（７３）及び上方床（３９）の間に、事前に張力をかけられて座する。圧縮コイルばね（５０）のばねの力は、ラム板（７３）を介して圧力棒（２１）に伝えられる。鍔面（７５）が傾斜している故に、圧力棒（２１）はスプラインギアのやり方で半径方向に外側に強制的に向けられる。トリガースリーブ（８２）はこの半径方向の力を永久に支持する。
【００３０】
トリガーエレメント（８２）の下方に位置付けられて、ストッパー（２５７）を用いて閉じられ、且つその中で部分的に、例えば、凍結乾燥物で充填された容器（２５０）が配置される容器アダプター（２００）がある。容器（２５０）は、キャップ（２３０）及び引き剥がしバンデロール（２６０）を介して、容器アダプター（２００）の上に固定される。それを通って伸びている孔を有する二重アダプター（２４０）が容器（２５０）及び円筒（１０１）の間に座する。
【００３１】
引き剥がしバンデロール（２６０）及びキャップ（２３０）を取り除いた後、ストッパー（２５７）を容器（２５０）内に強制的に押し込むために、容器（２５０）が二重アダプター（２４０）に向かって移動される。ここで、溶媒（１）を容器（２５０）内に強制的に押し込むために、ピストン（１１１）が、手動で作動されるポンプ棒（１４０）を用いて円筒（１０１）内に押し込むことができる。溶液（３）が後者の中に形成される。図３によれば、この溶液がポンプ棒（１４０）の引っ張り上げによって円筒（１０１）内にポンプで戻される。
【００３２】
吸引操作を完了するために、円筒（１０１）内に吸引され得た気泡が、公知の方法で、例えば、ピストン（１１１）を少し引き戻すことによって、除かれる。次いで、例えば、平滑なポンプ棒（１４０）が、ピストン（１１１）の凹部（１１５）から、ねじをゆるめて外され、そして筺体（１０）から引き抜かれる。
【００３３】
注射器を始動するために、容器アダプター（２５０）及びトリガーエレメント（８２）の間の接着接続が破られるように、引き剥がしバンデロール（９４）が引っ張り取られる。容器アダプター（２５０）は引っ張り取られる。使い捨て注射器は注射側に位置合わせされる。図４を参照すると、ここで、円筒／ピストンユニット（１００）の方向にトリガーエレメント（８２）が移動できる。この手順において、トリガーエレメント（８２）は筺体（１０）の外壁（１３）の下方に直線的に、つまり注射側の方向に滑る。圧力棒（２１）の接触面（２４）は端（８５）の上を滑り、そしてスプリングエレメント（５０）の力の下で拡幅領域（８３）内に半径方向に外側へ跳ねる。図５を参照すれば、ピストン作動ラム（６０）は、何の障害もなく下方に飛び出す。円筒（１００）は空になる。
【００３４】
筺体（１０）上のトリガーエレメント（８２）の直線的な滑り運動の代わりに、らせん運動も供することができる。この場合、トリガーエレメント（８２）及び筺体（１０）が、例えば、スライドブロック及びスロットを介して互いに誘導される。適切な場合、筺体（１０）及びトリガーエレメント（８２）の間の純粋な旋回運動によっても起動が達成できる。この場合、旋回軸は中心線（５）であろう。
【００３５】
図６から１１は、図１から５において述べられた原理の実施例を示す。本明細書では、耐荷重部品は一体形筺体（１０）である。それは、例えば、射出成形によるガラス繊維強化ポリアミドでできている。筺体（１０）は、実質的にチューブ状の形を有し、そして二つの機能領域に分かれており、つまり、一方が上方ジャケット領域（３１）、そしてもう一方が下方固定領域（４１）である。
【００３６】
実質的にチューブ状のジャケット領域（３１）は、図１０を参照すれば、例えば、一体化された孔（３８）を有する平面状床（３９）によって頂部でシールされる。ジャケット領域（３１）の下半分中に位置付けられて、互いに反対に位置する二つの一体的に形成された圧力棒（２１）がある。圧力棒（２１）は、固定領域（４１）の真上の位置で、その上に一体的に形成される。各圧力棒（２１）の形成のために、狭い、少なくともほぼＵ−形の隙間が、ジャケット領域（３１）の下方領域にあり、そして両側にそして頂部で個々の圧力棒を囲む。その長さの約８０％に沿って、圧力棒（２１）が筺体（１０）の壁の壁厚及び曲率を有する。この領域は、なかでも、跳ね返るように弾性のある屈曲梁（２８）の機能も有する。それは三日月の形をした断面を有する。
【００３７】
適切な場合、この屈曲梁（２８）の一部にも、屈曲梁の端部領域において、使用中に生じる曲げ応力を減らすために、長方形の断面を備えることができる。図８において、圧力棒（２１）が変形されていない状態で示されている。
【００３８】
本明細書で、個々の圧力棒（２１）の上方自由端が半径方向に外側に突き出ているカム（２２）によって形成される。後者は、少なくとも一つの支持面（２３）及び一つの接触面（２４）を有する。図１０によれば、張力をかけられた使い捨て注射器のラム板（７３）が、支持面（２３）の上にその鍔面（７５）と共に位置する。ここで、楔面の機能を果たす支持面（２３）は、１２０度の頂を有する切頭円錐形のジャケットの形体を持つ。
【００３９】
適切な場合、圧力棒（２１）又は鍔面（７５）は、少なくとも接触領域においてセラミックの鎧装を有する。適切な場合、鍔面（７５）は例えば、切頭円錐形の、貼り付けられたワッシャーによって強化される。
【００４０】
図１１を参照すれば、カム（２２）の接触面（２４）は、その最大径が、例えば、筺体（１０）の外径よりも３から４ミリメーター大きい円錐の部分である。使い捨て注射器に張力がかけられたときに、接触面（２４）は、スリーブ状のトリガーエレメント（８２）の内壁（５９）に触れる。適切な場合、表面圧を最小化するために、図１０を参照すれば、接触面（２４）は内壁（５９）に対応する曲率を有する。
【００４１】
圧力棒（２１）に対する代替として、図１１を参照すれば、引っ張りフックを使用することも可能である。これらの引っ張りフック（２１）は、筺体の上方領域において一体的に形成される。ばねエネルギー貯留部（５０）に張力がかけられるとき、それらはピストン作動ラム（６０）のラム板（７３）の周りに上方から係合する。注射器の作動時に、外側に旋回する引っ張りフック（２１）に対して十分な自由空間を供するために、この変形例においてはトリガーキャップ（８１）が少なくとも幾つかの領域において切頭円錐形のジャケットとして構成される。
【００４２】
挿入できる円筒／ピストンユニット（１００）を受けるための固定領域（４１）は、図１０を参照すれば、ジャケット部分（３１）の下方に位置付けられる。固定領域（４１）は、例えば、中心線（５）と平行に一列に並べられた８つのばねフック（４２）を含む。ばねフック（４２）は、適切な場合、円筒／ピストンユニット（１００）を遊び無しで受けるために、各々少なくとも、二つの側面の後方係合を有する。図１０によれば、後方係合（４２）の互いに対向する側面（４３、４４）は、例えば、１２７度の角度を形成する。下方の側面（４４）は端面（１７）の下方、ノズル（１０６）の方向に見て、その円錐頂部が中心線（５）の上に位置する、４５度の円錐角度を有する。ばねフック（４２）の長さ及びばね定数は、円筒（１０１）がばねフック（４２）の塑性変形無しで挿入できるようなレベルである。
【００４３】
組み立てた際に、トリガーエレメント（８２）中にスプリングエレメント（５０）及びピストン作動ラム（６０）と共に、筺体（１０）を確実に固定することを可能ならしめるために、図９を参照すれば、筺体（１０）はカム（２２）の間の領域において、それを介して筺体（１０）がトリガーエレメント（８２）の端（８５）を圧迫する、レンズ形状をした仰角（１６）を有する。
【００４４】
図１０を参照すれば、円筒（１０１）は、例えば、少なくとも部分的に円筒状のその外壁が、例えば、寸法的に安定な状態で、ばねフック（４２）の後方グリップの側面（４３、４４）を圧迫する周辺ロックリブ（１０２）を支える透明で肉厚のポットである。円筒（１０１）の後方端面の領域において、シーリングエレメント（１０５）を受けるための鍔（１１９）が円筒内壁（１０９）の上方端上に据え付けられる。適切な場合、鍔は、ぴったり合うシーリングエレメント（１０５）の部分を囲む、半径方向の環状の折り込まれた溝でもあり得る。或いは又、シーリングエレメント（１０５）は円筒に接着接合できる。具体例においてシーリングエレメント（１０５）はＯ−リングとして描かれている。しかしながら、それはクアッドリング（quad ring）、リップシール又は他の同等のシールエレメントでもあり得る。
【００４５】
その円筒状の床が前方ピストン端面の輪郭と少なくとも概略で一致する円筒（１０１）の孔の中心に位置付けられて、短い円筒状で、ノズル状の孔（１０６）がある。その直径は約０．１から０．５ミリメーターである。この孔（１０６）は、その直径の１から５倍長い。それは、円筒（１０１）の外部端面（１０３）の床側の円筒状又は円錐状の凹部（１０７）中に終わる。凹部（１０７）は、少なくとも概略で、ルアーテーパー孔の前方の１から２ミリメーターを構成する。この端面（１０３）は、使用の安全性を向上させるために、接着リング（１０４）を用いて追加的にはめ込むことができる。
【００４６】
円筒（１０１）は、例えば、非晶性の熱可塑性シクロオレフィン共重合体（ＣＯＣ）でできている。この材料は実質的に水蒸気に不浸透性のため、注射溶液の長期間の保存を可能とする。
【００４７】
棒無ピストン（１１１）は、例えば、円筒（１０１）の円筒状又は円錐状の孔中に座する。少なくとも概略で円錐形のその前方端面で、例えば、テフロン（登録商標）誘導体であるテトラフルオロエチレン／ヘキサフルオロエチレン共重合体（ＦＥＰ）製のピストン（１１１）は、シールリング（１１４）又は永久的に弾性のあるシーリング配合物を受けるための軸方向の環状溝（１１２）を有する。ピストン（１１１）の長さは、図８又は１１を参照すれば、挿入されたピストン（１１１）が円筒の後方頂部端を少なくとも１ミリメーター超えて突き出るように選ばれる。ピストン（１１１）の中間領域は狭くなっている。周辺が狭くなった領域は、ピストンの全長の約３０％に対応する長さを有する。狭くなった領域は、溶液を受ける円筒内部（１１０）の領域において、円筒の最大内径よりも１６から２０％小さい直径を有する。狭くなった領域及び前方、つまりこの場合は底、の間に位置する前方移行部では、ピストン領域が、例えば、３５から４０度の円錐角度を有する。他方の後方移行部は、３５から９０度の円錐角度を有する。
【００４８】
図１２を参照すれば、ピストン（１１１）の後方の、例えば、切頭円錐形の端面（１１３）において、ポンプ棒（１４０）をカップリングするための床（１１８）を有する、中心の円錐ピストン凹部（１１５）がある。ピストン凹部（１１５）の円錐角度は、例えば、１度である。とりわけ図１２によれば、その下方端で、ポンプ棒（１４０）はピストン（１１１）にカップリングするための円錐形のＶ−ねじ山（１４１）を有する。Ｖ−ねじ山（１１５）の円錐角度は、例えば、６度である。ポンプ棒（１４０）がピストン凹部（１１５）内に進路を向けるとき、Ｖ−ねじ山（１４１）のねじ山ピッチが、必要な逆ねじ山の中に押し進む。ポンプ棒（１４０）の前端が、切頭円錐形の端面（１４５）の狭い先端を有する床（１１８）と接触するとき、折れ込み操作が完了する。
【００４９】
図１３は、ポンプ棒（１４０）及びピストン（１１１）の間のカップリングとして、その中に少なくとも一つの部分ピッチ（１１６）又はカムが配置されているピストン凹部（１１５）中に係合する円錐状台形のねじ山（１４２）を示す。示された部分ピッチ（１１６）は、断面において、つまり中心線（５）に直角に、３０から６０度に亘って伸びている。ポンプ棒（１４０）からピストン（１１１）に伝えられるべき軸方向の力は、部分ピッチ（１１６）を介してのみ伝達される。生産工学の理由から、長方形の穴（１１７）が部分ピッチの下方に位置付けられている。
【００５０】
カップリング目的のために使用される両方の分離されたねじ山（１４１、１４２）には、最小のねじ込み力及びねじはずし力のみが要求される。例えば鍵／鍵穴システム又は単純な捕捉システム等の他の解除可能なカップリングも勿論使用できる。
【００５１】
ポンプ棒（１４０）は、例えば、その全長の大部分に沿って、一定の断面及び平滑な表面を有する。具体例におけるその最大直径は約２ミリメーターである。それは、例えば、ガラス繊維で強化されたポリアミドでできている。とりわけ図１４を参照すれば、トリガーキャップ（８１）の孔（８７）から突き出るその後方端で、それは二つの異なる目盛を刻んだスケール（１４８）及び（１４９）を有する。スケール（１４８）は、その円筒（１０１）が７ミリメーターの平均内径を有する円筒／ピストンユニット（１００）に対するものであり、一方、他のスケール（１４９）は、６ミリメーターの内径を有する円筒（１０１）に対するものである。異なるサイズを有する円筒（１０１）は注射器内に交替に挿入できる。
【００５２】
両方のスケール（１４８、１４９）は、各々水平分割マークを有する。これらの分割マークは、中心線（５）に対して直角に向いた面に位置する。各分割マークは、例えば、ポンプ棒の周囲の半分の長さを有する。一つのスケール（１４８、１４９）の分割マークは、全て互いの上に位置する。それらは、例えば、着色された黒又は白の分割マークであり得て、又はポンプ棒における切り欠きとして形成できる。分割マークの代わりに、ドット又は数字も使用できる。
【００５３】
適切な場合、ポンプ棒（１４０）の後方端に、そのグリップを改善するための構造、例えば、横方向又は縦方向の溝、溝削り等を供することができる。その断面も、軽量化のために平らな領域であり得て、又はピストン作動ラム（６０）を通って伸びる領域よりも大きな直径を有し得る。
【００５４】
図１６によれば、より大きな円筒に割り当てられる前方スケール（１４８）は、割り当てを明確にするため、円筒（１４６）の半分だけ長くされる。床（８６）のレベル上に直接位置付けられる二つの下方分割マークは、各円筒（１０１）の公称容量を印す。各場合において、上方分割マークは、ピストン（１１１）が円筒（１０１）内に完全に押し込まれることを示す。スケール（１４８、１４９）の他の分割マークの各々は、例えば、０．１ミリリッターを表す。
【００５５】
使い捨て注射器のばねエネルギー貯留部（５０）又は駆動ユニットはピストン（１１１）及び床（３９）の間に配置される。
【００５６】
ばねエネルギー貯留部（５０）は、ラム板（７３）を有するピストン作動ラム（６０）の上に配置された圧縮コイルばねである。それは、スペーサースリーブ（１９）の介在を用いて筺体（１０）の上方床（３９）上に支持される。ばね仕掛けのピストン作動ラム（６０）は、ラム板（７３）を用いて筺体（１０）の圧力棒（２１）の上に支持される。
【００５７】
ラム板（７３）の上方で、ピストン作動ラム（６０）は誘導ピン（６２）を有する。後者は圧縮コイルばね（５０）を誘導し、又はそれによって誘導される。誘導ピン（６２）の延長部においてラム板（７３）の下方中心部に位置付けられて、使い捨て注射器が作動されたときに、ピストン（１１１）上に作用するピストンスライド（７６）がある。なかでも図１０を参照すれば、ピストンスライド（７６）は切頭円錐形の前方に曲がった端面（７７）を有する。この端面（７７）を用いて、それはピストン（１１１）の適合するように成形した端面と接触する。両方の円錐は少なくとも概略、同じ円錐角度を有する。
【００５８】
具体例において、ピストンスライド（７６）はピストン１１１）の上方、例えば２から４ミリメーターで終わる。ピストン作動ラム（６０）は、その上半分が実質的に円筒状であり、一方、その下半分が底に向かって円錐的に狭くなる貫通孔（６３）を有する。下方端面（７７）の領域において、孔はピストン棒の外径よりも十分の１から二十分の１ミリメーターだけ大きい。
【００５９】
図６及び８から１１は、ほとんど完全に筺体を囲むトリガーユニット（８０）を有する圧力棒注射器を示す。トリガーユニット（８０）の部分としてのトリガーエレメント（８２）も、本明細書ではトリガースリーブである。例えばＡＢＳで作られる実質的に円筒状のトリガーエレメント（８２）は、内側に位置する端（８５）を有する戻り側面（８４）をその端面として有する。筺体（１０）の後方端を囲むトリガーキャップ（８１）は、トリガーエレメント（８２）の上に固定されている。この目的のために、トリガーキャップ（８１）は、トリガーエレメント（８２）の後方端に亘って押されている。
【００６０】
戻り側面（８４）の直接上方に、拡幅領域（８３）がトリガーキャップ（８１）の中に位置付けられる。拡幅領域（８３）の上方に、トリガーキャップ（８１）が筺体（１０）の外壁（１３）を滑ることができるように圧迫する。
【００６１】
トリガーエレメント（８２）の上にトリガーキャップ（８１）を固定するために、トリガーエレメント（８２）は、例えば、その内に周辺ウエブ又はトリガーキャップ（８１）のロックカム（５５）が係合する環状溝（５６）を有する。適切な場合、組み立てを容易にするために、トリガーキャップ（８１）の部分に縦方向のスリットが、例えば、二つ供される。
【００６２】
図１１を参照すれば、トリガーエレメント（８２）の下方領域に位置付けされて、その外壁において、数個の円周の導管（５７）、又は他の同程度の構造がある。導管（５７）は、例えば、互いから等距離にあり、そしてトリガーエレメント（８２）の長さの１０から３０ミミリメーターに亘って伸びている。
【００６３】
円筒状のトリガーエレメント（８２）は、その全長に沿って、粘着ラベル（９１）によって鞘に納められている。粘着ラベル（９１）そのものは、例えば、幾つかの領域において、片側上が接着剤で塗布された、紙及び／又はフィルム細片である。フィルム細片は、例えば、単層において、容器アダプター（２００）及びトリガーエレメント（８２）の組み合わせを一旦取り囲む。それは、開封明示シール（９０）として、穿孔（９６）を介して互いから各々取り外すことができる３枚の分離された細片で構成されている。上方の細片は主要部分（９２）であり、中間の細片は、２から３センチメーターの長さの引き剥がしタブ（９５）を有する引き剥がしバンデロール（９４）であり、そして下方の細片はアダプター部分（９３）である。主要部分（９２）及びアダプター部分（９３）は、それを用いてそれらがトリガーエレメント（８２）上に固定される接着層を支える。
【００６４】
円筒／ピストンユニット（１００）の円筒（１０１）上に中心がある容器アダプター（２００）は、トリガーエレメント（８２）の下方端面（５８）を圧迫する。容器アダプター（２００）の少なくとも幾つかの領域でほぼ円筒状の外面は、その端面（５８）の近くにおいて、トリガーエレメント（８２）の同様の円筒状外面と同じ外径を有する。
【００６５】
容器アダプター（２００）は、容器領域（２２１）において、移動可能に搭載された、閉じた容器（２５０）及び二重アダプター（２４０）、例えば、貫通溝を有するルアーロックストッパー、を受けるポット状部品である。同時に、それは、円筒（１０１）の上に中心があるときに、それを用いてそれが筺体（１０）の上に支持されるスリーブ状のアダプター領域（２０１）を有する。
【００６６】
アダプター領域（２０１）は、円筒（１０１）の少なくとも下四分の一の周りにしっかりとはめ込まれていて、そして円筒（１０１）の端面（１０３）の前で、中間床（２１１）中で終わるビーカーである。それは、端面（５８）の方に向いた上方支持区域（２０２）、及び中間床（２１１）の方に向き、且つ透明アダプター材料の場合は省略もできる窓区域（２０５）を有する。
【００６７】
トリガーエレメント（８２）に同一平面上で接合された支持区域（２０２）は、例えば、中心線（５）に向かって半径方向に内側に突き出て、且つ円筒（１０１）の外壁までも伸びる３から５個の接触ウエブ（２０３）を有する。接触ウエブ（２０３）は筺体（１０）の端面（１７）に接触している。
【００６８】
狭くなった窓区域（２０５）は、円筒（１０１）の円筒状外壁をしっかりと圧迫する。互いに反対に位置する二つのほぼ長方形の窓（２０６）は、該窓区域（２０５）中に配置されている。窓（２０６）は、ピストン（１１１）の少なくとも直径に対応する幅を有する。また図９を参照すれば、窓の中心は、円筒床（１０８）の高さにある。そこに示された使い捨て注射器ピストンにおいて、窓（２０６）の助けを借りて、注射溶液（３）に泡がないことを透過光によってチェックすることができる。
【００６９】
例えば、中間床（２１１）は、フィルムによって保護されたその接着リング（１０４）で、そして例えば、半環状体表面を有する環状ウエブ（２１４）を介して、円筒（１０１）の端面（１０３）と接触する。ウエブ（２１４）は中間床（２１１）の中心凹部（２１２）を取り囲む。中間床の厚みの少なくとも３倍まで支持チューブ（２１３）によって長くされている中心凹部（２１２）は、少なくともその内壁の部分としてルアーテーパー状の円錐を有する。
【００７０】
チューブ状の容器領域（２２１）において、支持チューブ（２１３）が、例えば、各々が１２０度に分布している、半径方向に配置された３つのロックウエブ（２２２）によって囲まれている。図７及び７Ａを参照すれば、容器（２５０）を引続き固定するために、ロックウエブ（２２２）が、一方で軸接合点（２２３）を、そして他方でロック後方の係合（２２４）を形成する。ロックウエブ（２２２）の間に位置付けられて、それらの各々の上流に配置された折り畳むことのできるロッキングフック（２２６）を有する３つのスライド凹部（２２７）がある。図６及び７によると、容器（２５０）のフランジ端（２５２）の後部と係合する、少なくともほぼ三角形の折り畳むことのできるロッキングフック（２２６）が、容器領域（２２１）の縦方向溝（２２８）中に各々配置される。図７Ａによると、それらは、折り畳みが解かれたときに内側に突き出て、各々の場合、それらの側面の一つが、容器ストッパー（２５７）に対して接線方向の仮想的面の中に位置する。図８を参照すれば、折り畳まれた状態において、折り畳まむことのできるロッキングフック（２２６）は、それらが容器（２５０）によって保持される縦方向溝（２２８）内にぴったりとフィットされる。
【００７１】
スライド凹部（２２７）は、無菌状態で、例えば、気密で弾性のあるバルブチューブ（２６５）によって覆われている。
【００７２】
図７によれば、その内径が容器（２５０）の最大外径よりも少しだけ大きい容器領域（２２１）が、容器（２５０）の下方三分の一まで伸びる。そこで、それが、例えば平滑端面（２２９）中で終わる。適切な場合、弾性のあるシールリング（２２５）が端面（２２９）の上方で環状溝中に据え付けられ、そして容器（２５０）及び容器領域（２２１）の内壁の間の接合部の無菌封鎖を供する。
【００７３】
端面（２２９）は、例えば、容器（２５０）の後方領域を完全に囲むキャップ（２３０）によって隣接されている。中心線（５）を横切って測定されたキャップの断面は、環状溝（２２８）を除いて、容器領域（２２１）の断面に対応する。キャップ（２３０）は、キャップの半径方向の外輪郭を超えて２，３ミリメーター突き出ることができる床（２３１）を有する。適切な場合、キャップ（２３０）は格子体又は単なるクリップでもあり得る。
【００７４】
図７によれば、キャップ（２３０）は引き剥がしバンデロール（２６０）を介して容器領域に接続されている。開封明示シールである引き剥がしバンデロール（２６０）は、容器領域（２２１）及びキャップ（２３０）の円筒状の外壁の少なくとも下方部を覆う。端面（２２９）の領域において、引き剥がしバンデロール（２６０）は、所定の破断点として役立つ周囲穿孔（２６２）又は切り欠きを有する。キャップ（２３０）の領域において、引き剥がしバンデロール（２６０）は引き剥がしタブ（２６１）として設計される。後者がキャップ（２３０）から接着に抗してほどかれ、そして穿孔（２６２）が切断されたとき、キャップ（２３０）を容器から引き出すことができる。この過程で、折り畳みできるロッキングフック（２２６）は容器（２５０）が容器アダプター（２００）から引き出されることを防ぐ。
【００７５】
代替法として、バルブチューブ（２６５）及びシールリング（２２５）がなくて済むように、引き剥がしバンデロール（２６０）がスライド凹部（２２７）も覆うことができる。この場合、図６、８及び９を参照すれば、引き剥がしバンデロール（２６０）はスライド凹部（２２７）を気密状態且つ無菌状態で閉じなければならない。
【００７６】
容器（２５０）は、例えばガラスバイアル又は狭くなった首（２５１）及びフランジ端（２５２）を有する凍結乾燥物バイアルである。フランジ端（２５２）は首（２５１）から突き出る。しかしながら、その外径は容器の最大外径よりも小さい。首（２５１）及び容器（２５０）の円筒状外壁の間の移行部は、例えば容器の壁厚の２倍に相当する大きな半径を有して丸くなっている。
【００７７】
容器（２５０）の開口部（２５３）は、例えば、ゴムでできた容器ストッパー（２５７）によって閉じられる。その頂上面上で、容器ストッパー（２５７）は中心の切頭円錐形シールノブ（２５８）を有する。
【００７８】
例えば、ゴム又はエラストマーでできた二重アダプター（２４０）が容器（２５０）及び中間床（２１１）の間に配置されている。図７によれば、それを通して縦方向に伸びている少なくとも一つの貫通溝（２４１）を有する二重アダプター（２４０）が、一方では、その容器部分（２４５）を部分的に容器開口部（２５３）中に有して、且つ他方では、そのルアーロック部分（２４２）を中間床（２１１）のルアーロック状のテーパー円錐凹部（２１２）中に有して座する。
【００７９】
二重アダプター（２４０）の容器部分（２４５）は、シールされたはめ込みを得るために、その直径が開口部（２５３）の内径よりも少し大きな円筒状の形を有する。円筒状の外輪郭は追加的に周辺ウエブ（２４６）を有する。図７によれば、開口部の端部は、輸送の安全のために、この周辺ウエブ（２４６）を圧迫する。容器ストッパー（２５７）の方に向かう二重アダプター（２４０）の端面（２４７）は、その内に貫通溝（２４１）が開いていて、且つその内に容器ストッパー（２５７）のシールノブ（２５８）がシールするように突き出る円錐くぼみ（２４８）をその中心部に有する。
【００８０】
図８を参照すれば、くぼみ（２４８）の周りに、端面（２４７）がヒルト鋸歯に相当する構造を有する。横方向のリブ、ノブ等としても形成できるこの構造は、大きな表面積に亘って、容器ストッパー（２５７）が二重アダプター（２４０）に付着することを防ぐよう意図されている。更に、この構造は、図９を参照すれば、溶液（３）がポンプで引き戻されたときに、貫通溝（２４１）がうっかり閉じられることも防ぐ。代替法として、ストッパー（２５７）もそのような構造を有ることができる。もし、両方の部品（２４０、２５７）がある構造を有するとしても、それらは相容れるものであってはならない。
【００８１】
切頭円錐形のルアーロック部分（２４２）の先端のほとんどすべての表面は、円筒（１０１）の凹部（１０７）とシールされるように係合している。このように、円筒内部（１１０）及び貫通溝（２４１）は、無菌状態で閉じ込められる中空空間を形成する。
【００８２】
使い捨て注射器を使用可能にするために、活性物質（２）、例えば、容器（２５０）中に貯蔵された凍結乾燥物は、液体（１）、例えば、円筒／ピストンユニット（１００）の円筒（１０１）中に存在する注射目的の水、又は生理食塩水中に溶解されなければならない。この目的のために、液体（１）が容器（２５０）内にポンプ注入されることになる。
【００８３】
第一工程において、引き剥がしタブ（２６１）がキャップ（２３０）から取り除かれ、そのことによって穿孔（２６２）が切断され、そしてキャップ（２３０）が容器（２５０）の後方部から引き外すされる。
【００８４】
第二工程において、容器（２５０）が容器アダプター（２００）内に押し込まれる。容器（２５０）は、それが接合点（２２３）をフランジ端（２５２）で圧迫するまで、容器アダプター（２００）の内壁に沿って前方に滑る。同時に、係合の後方のロック（２２４）が、フランジ端（２５２）の後方面の周りに係合し、そうすることで容器（２５０）の前方位置が固定される。図８を参照すれば、前方への動きの最中、容器（２５０）は折り畳むことのできるロッキングフック（２２６）を強制的に横側に動かし、そして容器（２５０）の開口部（２５３）がそれ自身を周辺ウエブ（２４６）に亘って、且つシールするように二重アダプター（２４０）の容器部分（２４５）上に押している。この過程において、円筒内部（１１０）及び容器内部（２５５）がここで貫通溝（２４１）を介して連通するように、容器ストッパー（２５７）が開口部（２５３）から内側に押されている。
【００８５】
容器（２５０）としての容器領域（２２１）において生じる過度の圧力は、部分的に持ち上がるバルブチューブ（２６５）を介して押されて逃がされる。
【００８６】
図８を参照すれば、第三工程において、ピストン（１１１）がポンプ棒（１４０）を用いて円筒（１０１）内に押し込まれ、そうすることで、ここで少し過度の圧力になっている容器内部（２５５）内に液体（１）を送る。この目的のために、ポンプ棒（１４０）が、それを操作している手の人差し指と親指の間に一般的に保持される。
【００８７】
凍結乾燥物（２）は液体（１）中に溶解する。容器アダプター（２００）から突き出ている容器（２５０）が透明であるため、溶解過程は視覚的に監視できる。
【００８８】
図９を参照すれば、第四工程において、新しく得られた溶液（３）が、円筒内部（１１０）内にポンプで引き戻される。この目的のために、容器（２５０）の開口部（２５３）が重力の方向を指し示すように、注射器が保持される。ピストン（１１１）はポンプ棒（１４０）を介して後方位置内に引かれる。窓（２０６）を通して、気泡無しでこれが実行されたことがチェックできる。
【００８９】
第五工程において、使い捨て注射器が、引き剥がしタブ（９５）の助けを借りて、主要部分（９２）から及びアダプター部分（９３）から分離されて、引き剥がしバンデロール（９４）を用いて始動される。トリガーエレメント（８２）の導管（５７）は見ることができるようになる。図１０を参照すれば、ここで容器アダプター（２００）が引き下げられ、そして円筒（１０１）から除かれる。
【００９０】
最終工程において、注射器が注射側の上に取り付けられ、そしてスリーブ状のトリガーエレメント（８２）が注射側の方向に押し下げられる。圧力棒（２１）は、それらの実際の出発位置内に弾性的に外側に曲がる。この過程で、カム（２２）が拡幅領域（８３）内に端（８５）に亘って滑りだす。図１１を参照すれば、スプリングエレメント（５０）の効果の下、円筒（１０１）を空にするためにピストン（１１１）が突然下方に動くように、もはや変形されていない圧力棒（２１）が、ピストン作動ラム（６０）を解放する。ピストン（１１１）の前方への動きの間に、狭くなったピストン領域の通過中に後方シーリングエレメント（１０５）がブレーキ作用に耐えないので、ピストンの摩擦がしばらく減少する。
【００９１】
図１５から１８は、代替容器アダプター（２００）を示す。図７によれば、容器アダプター（２００）とは対照的に、それは固定されたキャップ（２３０）及び３部分のバンデロール（２６０）を有する。
【００９２】
容器領域（２２１）は、端面（２２９）からアダプター領域（２０１）の方向に伸びる、例えば、二つ又はそれより多くの、図１５から１８によれば、各々の場合３つであるが、四重のロック凹部（２１６）を有する。四重の凹部（２１６）は各々二つの互いに対向する前方ロック切り欠き（２１７）及び二つの後方ロック切り欠き（２１８）を有する。図１５によれば、それらの背面が互いに向き合う二つのロックフック（２３５、２３６）が、前方ロック切り欠き（２１７）において係合する。一対のロックフック（２３５、２３６）の間に、ロックフック（２３５、２３６）が四重の凹部（２１６）内に押し込まれることを可能ならしめる自由空間がある。
【００９３】
図１５によれば、容器（２５０）が、やはり図７に示されている位置にある。ロックフック（２３５、２３６）及びロッキングフックの間の自由空間は、引き剥がしバンデロール（２６０）を用いて覆われる。引き剥がしバンデロール（２６０）は、部分（２２１）及び（２３０）が共に押されないようにする。
【００９４】
図１７において、容器アダプター（２００）は、互いに押されたときの状態で示されている。互いに押されることを可能にするために、最初に引き剥がしタブ（２６１）が容器アダプター（２００）から完全に巻き戻される。次いで、ロックフック（２３５、２３６）が、後方ロック切り欠き（２１８）中に係合されるようにキャップ（２３０）と共に容器（２５０）が移動される。次いで、容器（２５０）が図８にも示されている位置に到達する。ロッッキング係合を用いて、容器（２５０）が容器アダプター（２００）中に完全に囲まれる。
【００９５】
本明細書では、凍結乾燥物の溶解が観察できるように、容器アダプター（２００）は透明材料でできている。
【００９６】
適切な場合、キャップ（２３０）が容器領域（２２１）の上に搭載されたときに、互いに関連した部分（２３０、２２１）の正確な位置合わせを必要としないで、相互ロッキング係合が可能なように、２、３個では無く非常に多くの数のロッキングフックが使用される。全ての又はいくつかのロッキングフックが容器領域（２２１）の上に配置され、一方、対応するロッキング凹部がキャップ中に形成されることも考えられる。
【００９７】
ロックフック（２３５、２３６）及びロック凹部（２１６）の代わりに、容器領域（２２１）及びキャップ（２３０）の間に縦方向にスロットが作られた支持リングも配置できて、そして引き剥がしバンデロールを介して支持される。ここで、支持リングを除いた後で、容器（２５０）を容器領域（２２１）内に押し込むことができる。
【００９８】
これら二つの変形例において、容器（２５０）は、適切な場合、クランプはめ込み又は接着ボンドを用いてキャップ（２３０）中に座する。
【００９９】
その中でピストン作動ラム（６０）が、少なくとも筺体（１０）の部分において少し遊びを持って直線的に誘導される、そしてピストン作動ラム（６０）が適切な曲げ強さを有する注射器の場合、二つ又はそれ以上の圧力棒（２１）の代わりに、ただ一つの圧力棒（２１）が使用されることが可能である。
【０１００】
これらの図に示された変形例において、圧力棒（２１）及びラム板（７３）の間の個々の接触領域が、接触時に互いの上を滑ることができる表面（２３）及び（７５）として設計されている。特別な実施例において、個々の圧力棒（２１）の各表面（２３）は、注射器が作動されたときに、ローラーベアリングとして、従って、低い摩擦でラム板の表面（７５）上を転がっていくローラーを支持できる。
【０１０１】
スプリングエレメント（５０、５２）、所望ならばピストン板、及び、例えば、支持棒（２１）のベアリングローラーを除いて、上記の使い捨て注射器の全ての部分がプラスチック又はプラスチック状若しくはゴム状の材料で作られる。
【符号の説明】
【０１０２】
１  輸液目的の水、溶媒
２  凍結乾燥物、活性物質
３  注射溶液
５  注射器の中心線、縦方向
６  （８２）のトリガー運動の方向、下方向への動き、方向指示器
７  移送ポンプ位置
８  ロックされた位置
９  解放位置、トリガー位置
１０  筺体、一体
１３  外面、円筒状
１６  仰角、レンズ形状をした
１７  端面、前方、底
１９  スペーサースリーブ
２１  圧力棒、支持棒；引っ張りフック
２２  カム
２３  支持面
２４  接触面
２５  係合の後方の側面
２８  屈曲梁
３１  ジャケット領域
３３  開口部
３８  孔
３９  床
４１  円筒／ピストンユニットのための固定領域
４２  ばねフック
４３  側面、上方
４４  側面、下方
５０  スプリングエレメント、圧縮コイルばね、ばねエネルギー貯留部
５１  ワッシャー、平面状
５２  （２１）上のスプリングエレメント
５５  ロックカム
５６  （８２）の環状溝
５７  （８２）の導管
５８  （８２）の端面
５９  （８２）の内壁
６０  ピストン作動ラム
６２  誘導ピン
６３  孔、貫通孔
７３  ラム板
７５  鍔面、円錐
７６  ピストンスライド
７７  ピストンスライドの端面、円錐状
８０  トリガーユニット
８１  トリガーキャップ
８２  トリガーエレメント
８３  拡幅領域
８４  戻り側面
８５  端、鋭角
８６  キャップ床
８７  孔
９０  開封明示シール、バンデロール、安全エレメント
９１  粘着ラベル
９２  （９１）の主要部分
９３  （９１）のアダプター部分
９４  引き剥がしバンデロール
９５  引き剥がしタブ
９６  穿孔、所定の破断点
１００  円筒／ピストンユニット
１０１  円筒
１０２  ロックリブ
１０３  端面
１０４  接着リング
１０５  シーリングエレメント
１０６  孔、ノズル
１０７  端面における凹部
１０８  円筒床
１０９  円筒内壁
１１０  円筒内部
１１１  ピストン
１１２  環状溝
１１３  端面、後方；円錐
１１４  シールリング、シール、シールエレメント
１１５  ピストン凹部、孔
１１６  部分ピッチ、カム
１１７  長方形の穴
１１８  （１１５）の凹端
１１９  （１０１）の上の鍔
１４０  ポンプ棒
１４１  テーパー付きねじ山、Ｖ−ねじ山
１４２  特別なねじ山、テーパー付きねじ山
１４５  端面、切頭円錐形
１４６  円筒の半分
１４７  肩（小さな円筒用）
１４８  マーキング、大きな円筒用の半切り欠き
１４９  マーキング、小さな円筒用の半切り欠き
２００  容器アダプター
２０１  アダプター領域
２０２  支持区域
２０３  接触ウエブ
２０５  窓区域、狭くなっている
２０６  窓、両側上
２１１  中間床
２１２  凹部、中心
２１３  固定具、支持チューブ
２１４  ウエブ、環状、半環状体
２１６  四重のロック凹部
２１７  ロック切り欠き、前方
２１８  ロック切り欠き、後方
２２１  容器領域
２２２  ロックウエブ
２２３  接合点
２２４  係合の後方のロック
２２５  シールリング
２２６  折り畳むことのできるロッキングフック、接合点
２２７  スライド凹部
２２８  縦方向溝
２２９  端面
２３０  キャップ
２３１  床
２３２  端
２３５  ロックフック、左
２３６  ロックフック、右
２４０  二重アダプター、エラスチック
２４１  貫通溝
２４２  ルアーロック部分
２４５  容器部分
２４６  周辺ウエブ
２４７  端面
２４８  くぼみ
２４９  ヒルト鋸歯
２５０  容器、アンプル
２５１  首
２５２  フランジ端
２５３  開口部
２５５  容器内部
２５７  容器ストッパー、ストッパー、弾性のある
２５８  シールノブ、弾性のある
２６０  引き剥がしバンデロール
２６１  引き剥がしタブ
２６２  穿孔、所定の破断点
２６３  端部、後方
２６４  端部、前方
２６５  バルブチューブ、弾性のある
【図１】
0005619619.tif 000002
【図２】
0005619619.tif 000003
【図３】
0005619619.tif 000004
【図４】
0005619619.tif 000005
【図５】
0005619619.tif 000006
【図６】
0005619619.tif 000007
【図７】
0005619619.tif 000008
【図７ａ】
0005619619.tif 000009
【図８】
0005619619.tif 000010
【図９】
0005619619.tif 000011
【図１０】
0005619619.tif 000012
【図１１】
0005619619.tif 000013
【図１２】
0005619619.tif 000014
【図１３】
0005619619.tif 000015
【図１４】
0005619619.tif 000016
【図１５】
0005619619.tif 000017
【図１６】
0005619619.tif 000018
【図１７】
0005619619.tif 000019
【図１８】
0005619619.tif 000020